(57)【特許請求の範囲】
【請求項１】
コンクリート柱の周囲を縦に分割された筒状のプレキャストコンクリート型枠で取り囲み、分割された前記プレキャストコンクリート型枠同士を接合し、前記コンクリート柱と前記プレキャストコンクリート型枠との間にグラウトを充填したコンクリート構造体であって、
前記プレキャストコンクリート型枠は、前記プレキャストコンクリート型枠同士を接合する一対の連結部と、この一対の連結部に固着し、前記プレキャストコンクリート型枠の内部に配置された鉄筋と、を備え、
前記一対の連結部は、その先端に前記プレキャストコンクリート型枠同士が接合する面から前記コンクリート柱へ向けて内側または外側へ突出するＬ字状の係止部をそれぞれ有し、
前記係止部は、前記プレキャストコンクリート型枠同士が接合する際、相手側の連結部の係止部と互いに反対向きに突出して設けられ、
前記連結部は、前記プレキャストコンクリート型枠同士が接合する面と突出した係止部との間に反対向きに突出した前記相手側の連結部の係止部が挿入可能な隙間が設けられ、
前記係止部の突出する方向の長さは、前記コンクリート柱を前記コンクリート型枠で囲む際に、一方のコンクリート型枠を先に前記コンクリート柱に嵌め込んで配置した後、他方のコンクリート型枠を横に少しずらした状態でコンクリート柱に嵌め込んでから前記一方のコンクリート型枠側にずらして前記係止部を挿入する隙間に係止できる長さであることを特徴とするコンクリート構造体。
【発明の詳細な説明】
【０００１】
【発明の属する技術分野】
本発明は、コンクリート構造体に関し、更に詳細にはコンクリート柱の周囲にプレキャスト化された補強部材を取り付ける場合に好適なコンクリート構造体に関する。
【０００２】
【従来の技術】
例えば既設のコンクリート柱に耐震補強を施す場合、従来はＬ字状或いはコ字状の鋼板を２個用意し、これをコンクリート柱を囲むように配置してその突き合わせ部を溶接することによって接合するのが一般的であった。
【０００３】
また、例えばプレキャスト化されたコンクリート製のセグメントリングを接合する場合は、セグメントリングの接合部にボルトボックスを設け、隣接するセグメントリングのボルトボックスに一枚の当て板を架設し、この当て板をボルト及びナットで各セグメントリングに固定するのが一般的であった。このようにプレキャスト材を接合する場合には、プレキャスト材に内蔵された鉄筋同士を溶接などで接合する方法も行われていた。
【０００４】
【発明が解決しようとする課題】
しかし、従来のように既設のコンクリート柱の周囲に配置した鋼板を溶接で接合する場合は、現場作業となるので確実な溶接施工が困難であり、溶接不良が発生し易くなるため信頼性に欠けるという問題があった。
【０００５】
また、セグメントリングのボルトボックスに当て板を架設し、この当て板をボルト及びナットで固定して接合する場合は、セグメントリングにかかる荷重をボルトで受けることになるため、大きな荷重がかかるところではボルト本数を相当多くする必要がある。
【０００６】
しかしながら、ボルトボックスの大きさなどの関係からボルト本数をそれ程多くすることはできないので、通常は比較小さな荷重がかかる部分の接合に使用するなど、使用範囲を限定して用いなければならなかった。更に、鉄筋を直接接合する場合には、多数の鉄筋を接合しなければならないから、作業が面倒で工期が長くなるという問題があった。
【０００７】
本発明の目的は、このような問題点を解決することにあり、溶接不良をなくして信頼性を向上させることが可能であると共に、大きな荷重がかかる部分にも適用可能であり、更に工期を短縮することが可能なコンクリート構造体を提供することにある。
【０００８】
【課題を解決するための手段】
本発明はコンクリート構造体であり、前述の技術的課題を解決するために以下のように構成されている。すなわち、コンクリート柱の周囲を縦に分割された筒状のプレキャストコンクリート型枠で取り囲み、分割された前記プレキャストコンクリート型枠同士を接合し、前記コンクリート柱と前記プレキャストコンクリート型枠との間にグラウトを充填したコンクリート構造体であって、
前記プレキャストコンクリート型枠は、前記プレキャストコンクリート型枠同士を接合する一対の連結部と、この一対の連結部に固着し、前記プレキャストコンクリート型枠の内部に配置された鉄筋と、を備え、
前記一対の連結部は、その先端に前記プレキャストコンクリート型枠同士が接合する面から前記コンクリート柱へ向けて内側または外側へ突出するＬ字状の係止部をそれぞれ有し、
前記係止部は、前記プレキャストコンクリート型枠同士が接合する際、相手側の連結部の係止部と互いに反対向きに突出して設けられ、
前記連結部は、前記プレキャストコンクリート型枠同士が接合する面と突出した係止部との間に反対向きに突出した前記相手側の連結部の係止部が挿入可能な隙間が設けられ、
前記係止部の突出する方向の長さは、前記コンクリート柱を前記コンクリート型枠で囲む際に、一方のコンクリート型枠を先に前記コンクリート柱に嵌め込んで配置した後、他方のコンクリート型枠を横に少しずらした状態でコンクリート柱に嵌め込んでから前記一方のコンクリート型枠側にずらして前記係止部を挿入する隙間に係止できる長さであることを特徴とする。
【００１０】
このコンクリート構造体においては、例えば既設のコンクリート柱の周囲を縦に分割された筒状のコンクリート型枠で取り囲み、これらの補強部材の各構成部を上述の継手によって接合するので、従来のように現場において溶接で接合する場合に比べて溶接不良が減少するため信頼性が向上すると共に、接合作業が容易になるので工期を短縮することができる。
【００１１】
【発明の実施の形態】
以下、本発明に係るコンクリート構造体の実施の形態について、図面を参照して詳細に説明する。
【００１２】
図１は、本発明に係るコンクリート構造体を適用した耐震補強柱１を示す。この耐震補強柱１は、コンクリート柱１１の周囲が補強部材であるコンクリート型枠１２、１３によって取り囲まれている。コンクリート柱１１は断面が例えば四角形で、内部には鉄筋１４が配置されている。コンクリート柱１１とコンクリート型枠１２、１３との間の隙間には、グラウト１５が充填されている。
【００１３】
コンクリート型枠１２、１３は角筒を縦に２分割したものであり、それぞれの断面がコ字状に形成され、その内部には複数の帯鉄筋１６、１７が配置されている。このコンクリート型枠１２、１３はプレキャスト化されており、次に説明する継手２０によって接合することができる。
【００１４】
継手２０は、接合すべき部材であるコンクリート型枠１２、１３の帯鉄筋１６、１７に固着可能な金属製の一対の連結部２１、２２によって構成されている。これらの連結部２１、２２は、コンクリート型枠１２、１３と同一長さに形成されている。
【００１５】
各連結部２１、２２の先端には、図２に示すようにＬ字状の係止部２３、２４が設けられている。これらの各係止部２３、２４はコンクリート型枠１２、１３の接合面から突出しており、互いに反対向きになるように配置されている。そして、各係止部２３、２４とコンクリート型枠１２、１３の接合面との間には、相手側の係止部２４、２３を挿入することが可能な隙間が設けられている。また、連結部２１、２２は、図３に示すように係止部２３、２４を係止させた後、ボルト２５、２６で締結するようになっている。
【００１６】
この耐震補強柱１を既設のコンクリート柱１１に施工する場合は、図１に示すように、まず既設のコンクリート柱１１の周囲を取り囲むようにコンクリート型枠１２、１３を配置する。コンクリート型枠１２、１３の帯鉄筋１６、１７には、その製造時に継手２０の連結部２１、２２を固着しておく。
【００１７】
コンクリート型枠１２、１３をコンクリート柱１１の周囲に配置するときには、片方のコンクリート型枠１２を先に配置した後、他方のコンクリート型枠１３を横に少しずらした状態でコンクリート柱１１に嵌め込んでから相手側のコンクリート型枠１２側にずらして整合配置する。これにより、それぞれの連結部２１、２２の係止部２３、２４が係止される。
【００１８】
次に、コンクリート柱１１とコンクリート型枠１２、１３との間の隙間にグラウト１５を充填する。これによって、コンクリート柱１１にグラウト１５及びコンクリート型枠１２、１３が一体化されて耐震補強される。
【００１９】
この耐震補強柱１は、プレキャスト化されたコンクリート型枠１２、１３を継手２０によって溶接することなく接合することができるので、現場作業を容易にして施工期間を短縮することができる。また、継手２０は、連結部２１、２２の２個だけで構成できるので、部品点数を削減することができる。更に、連結部２１、２２は、係止部２３、２４を横から差し込んで係止させることができるので、コンクリート柱１１の上側にスペースがない場合でも、コンクリート柱１１にコンクリート型枠１２、１３を取り付けることができる。
【００２０】
また、コンクリート型枠１２、１３の製造時にその帯鉄筋１６、１７に連結部２１、２２を固着するので、従来のように現場で鉄筋１６、１７を溶接して接合する場合に比べて溶接不良が減少するため信頼性が向上する。
【００２１】
継手２０は、連結部２１、２２の形状及び寸法を任意に設定することができ、これによりコンクリート型枠１２、１３の帯鉄筋１６、１７と同一又はそれ以上の強度にすることができるので、大きな荷重がかかる部分の接合などにも広範囲に適用することができる。
【００２２】
なお、上述の実施の形態ではコンクリート柱１１の断面が四角形である場合について説明したが、これに限らず多角形又は円形などの断面のコンクリート柱に適用することができる。また、補強部材であるコンクリート型枠１２、１３の断面をコ字状にした場合について説明したが、Ｌ字状など適宜な形状にすることができる。
【００２３】
【発明の効果】
以上説明したように本発明のコンクリート構造体によれば、２個の連結部だけで構成できるので、部品点数を削減してコストダウンを図ることができる。また、連結部を横から整合配置することにより、Ｌ字状の係止部を係止させることができるので、接合すべき部材の上側にスペースがない場合でも、容易に接合することができる。
【００２４】
また、本発明のコンクリート構造体においては、例えば既設のコンクリート柱の周囲をプレキャスト化された縦に分割されたコンクリート型枠などの補強部材で取り囲み、これらの補強部材の各構成部を上述の継手によって接合するので、従来のように現場において溶接で接合する場合に比べて溶接不良が減少して信頼性が向上すると共に、接合作業が容易になるので工期を短縮することができる。
【図面の簡単な説明】
【図１】本発明に係るコンクリート構造体を適用した耐震補強柱の断面図である。
【図２】本発明に係る継手の取付状態を示す斜視図である。
【図３】本発明に係る継手の係止状態を示す断面図である。
【符号の説明】
１  耐震補強柱（コンクリート構造体）
１１  コンクリート柱
１２、１３  コンクリート型枠（補強部材）
１５  グラウト
２０  継手
２１、２２  連結部
２３、２４  係止部
【図１】
0004043565.tif 000002
【図２】
0004043565.tif 000003
【図３】
0004043565.tif 000004